【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
画面の領域を構成する複数のブロックにそれぞれ対応する複数の光源を有する発光手段と、
前記発光手段からの光を画像データに基づく透過率で透過することにより、前記画面に画像を表示する表示手段と、
入力画像データに基づいて、前記画面の領域から、同じ色の画素で構成される画像が表示される領域である同一色領域を検出する検出手段と、
入力画像データに基づいて、各光源の発光輝度を決定する決定手段と、
各光源の発光輝度を前記決定手段で決定された発光輝度として、前記入力画像データに基づく表示をした場合の、前記同一色領域の色を予測する予測手段と、
各光源を前記決定手段で決定された発光輝度で発光させる駆動手段と、
を有し、
前記決定手段は、前記同一色領域が２つ以上のブロックを跨ぐ領域である場合に、前記２つ以上のブロックのうちの１つである第１ブロック内の前記同一色領域と、前記２つ以上のブロックのうちの他のブロックである第２ブロック内の前記同一色領域と、の間の前記予測手段で予測された色の差が低減するように、前記第１ブロックに対応する光源と前記第２ブロックに対応する光源との少なくともいずれかの光源の発光輝度を変更する
ことを特徴とする表示装置。
【請求項２】
前記予測手段は、前記同一色領域に表示される画素の前記画面上の色を予測し、
前記決定手段は、前記第１ブロック内の前記同一色領域に表示される画素と、前記第２ブロック内の前記同一色領域に表示される画素と、の間の前記予測手段で予測された色の差の最大値が、予め定められた第１の閾値よりも大きい場合に、前記色の差の最大値が前記第１の閾値以下となるように、前記第１ブロックに対応する光源と前記第２ブロックに対応する光源との少なくともいずれかの光源の発光輝度を変更する
ことを特徴とする請求項１に記載の表示装置。
【請求項３】
前記決定手段は、前記色の差の最大値が前記第１の閾値と等しくなるように、前記第１ブロックに対応する光源と前記第２ブロックに対応する光源との少なくともいずれかの光源の発光輝度を変更する
ことを特徴とする請求項２に記載の表示装置。
【請求項４】
前記色の差の最大値が前記第１の閾値以下とされた後に、前記２つ以上のブロックのうちの１つである第３ブロック内の前記同一色領域に表示される画素と、前記２つ以上のブロックのうち、前記第３ブロックに隣接するブロックである第４ブロック内の前記同一色領域に表示される画素と、の間の前記予測手段で予測された色の差の最大値が、前記第１の閾値よりも小さい予め定められた第２の閾値よりも大きい場合に、前記第３ブロックと前記第４ブロックの間の境界部分における前記同一色領域に表示される画像をぼかす処理を行うぼかし手段
をさらに有する
ことを特徴とする請求項２または３に記載の表示装置。
【請求項５】
前記第２ブロックは、前記第１ブロックに隣接するブロックである
ことを特徴とする請求項１〜４のいずれか１項に記載の表示装置。
【請求項６】
前記予測手段は、前記同一色領域が前記２つ以上のブロックを跨ぐ領域である場合に、前記２つ以上のブロックのそれぞれについて、そのブロック内の前記同一色領域に表示される１つの画素の前記画面上の色を予測する
ことを特徴とする請求項１〜５のいずれか１項に記載の表示装置。
【請求項７】
前記予測手段は、前記同一色領域の色の明るさを予測する
ことを特徴とする請求項１〜６のいずれか１項に記載の表示装置。
【請求項８】
前記予測手段は、前記同一色領域の色の、所定の色空間上での座標を予測する
ことを特徴とする請求項１〜６のいずれか１項に記載の表示装置。
【請求項９】
入力画像データが動画像の画像データである場合に、フレーム毎に、１つ前のフレームからの画像の動き量を検出する検出手段を更に有し、
前記決定手段は、前記検出手段で検出された動き量が所定の閾値よりも大きい場合に、各光源の発光輝度を変更しない
ことを特徴とする請求項１〜８のいずれか１項に記載の表示装置。
【請求項１０】
前記検出手段は、前記ブロック毎に前記動き量を検出し、
前記第１ブロックと前記第２ブロックは、前記動き量が所定の閾値以下のブロックである
ことを特徴とする請求項９に記載の表示装置。
【請求項１１】
画面の領域を構成する複数のブロックにそれぞれ対応する複数の光源を有する発光手段と、前記発光手段からの光を画像データに基づく透過率で透過することにより、前記画面に画像を表示する表示手段と、を有する表示装置の制御方法であって、
入力画像データに基づいて、前記画面の領域から、同じ色の画素で構成される画像が表示される領域である同一色領域を検出する検出ステップと、
入力画像データに基づいて、各光源の発光輝度を決定する決定ステップと、
各光源の発光輝度を前記決定ステップで決定された発光輝度として、前記入力画像データに基づく表示をした場合の、前記同一色領域の色を予測する予測ステップと、
各光源を前記決定ステップで決定された発光輝度で発光させる駆動ステップと、
を有し、
前記決定ステップでは、前記同一色領域が２つ以上のブロックを跨ぐ領域である場合に、前記２つ以上のブロックのうちの１つである第１ブロック内の前記同一色領域と、前記２つ以上のブロックのうちの他のブロックである第２ブロック内の前記同一色領域と、の間の前記予測ステップで予測された色の差が低減するように、前記第１ブロックに対応す
る光源と前記第２ブロックに対応する光源との少なくともいずれかの光源の発光輝度が変更される
ことを特徴とする表示装置の制御方法。
【手続補正２】
【補正対象書類名】明細書
【補正対象項目名】発明の名称
【補正方法】変更
【補正の内容】
【発明の名称】表示装置及びその制御方法
【手続補正３】
【補正対象書類名】明細書
【補正対象項目名】０００１
【補正方法】変更
【補正の内容】
【０００１】
本発明は、表示装置及びその制御方法に関する。
【手続補正４】
【補正対象書類名】明細書
【補正対象項目名】０００８
【補正方法】変更
【補正の内容】
【０００８】
本発明の表示装置は、
画面の領域を構成する複数のブロックにそれぞれ対応する複数の光源を有する発光手段と、
前記発光手段からの光を画像データに基づく透過率で透過することにより、前記画面に画像を表示する表示手段と、
入力画像データに基づいて、前記画面の領域から、同じ色の画素で構成される画像が表示される領域である同一色領域を検出する検出手段と、
入力画像データに基づいて、各光源の発光輝度を決定する決定手段と、
各光源の発光輝度を前記決定手段で決定された発光輝度として、前記入力画像データに基づく表示をした場合の、前記同一色領域の色を予測する予測手段と、
各光源を前記決定手段で決定された発光輝度で発光させる駆動手段と、
を有し、
前記決定手段は、前記同一色領域が２つ以上のブロックを跨ぐ領域である場合に、前記２つ以上のブロックのうちの１つである第１ブロック内の前記同一色領域と、前記２つ以上のブロックのうちの他のブロックである第２ブロック内の前記同一色領域と、の間の前記予測手段で予測された色の差が低減するように、前記第１ブロックに対応する光源と前記第２ブロックに対応する光源との少なくともいずれかの光源の発光輝度を変更する
ことを特徴とする。
【手続補正５】
【補正対象書類名】明細書
【補正対象項目名】０００９
【補正方法】変更
【補正の内容】
【０００９】
本発明の表示装置の制御方法は、
画面の領域を構成する複数のブロックにそれぞれ対応する複数の光源を有する発光手段と、前記発光手段からの光を画像データに基づく透過率で透過することにより、前記画面に画像を表示する表示手段と、を有する表示装置の制御方法であって、
入力画像データに基づいて、前記画面の領域から、同じ色の画素で構成される画像が表示される領域である同一色領域を検出する検出ステップと、
入力画像データに基づいて、各光源の発光輝度を決定する決定ステップと、
各光源の発光輝度を前記決定ステップで決定された発光輝度として、前記入力画像データに基づく表示をした場合の、前記同一色領域の色を予測する予測ステップと、
各光源を前記決定ステップで決定された発光輝度で発光させる駆動ステップと、
を有し、
前記決定ステップでは、前記同一色領域が２つ以上のブロックを跨ぐ領域である場合に、前記２つ以上のブロックのうちの１つである第１ブロック内の前記同一色領域と、前記２つ以上のブロックのうちの他のブロックである第２ブロック内の前記同一色領域と、の間の前記予測ステップで予測された色の差が低減するように、前記第１ブロックに対応する光源と前記第２ブロックに対応する光源との少なくともいずれかの光源の発光輝度が変更される
ことを特徴とする。